(57)【要約】【課題】防水シートで水の浸入を防ぎ、本体内の基板部に水が掛かることを防止する。【解決手段】本体２上面に配置されたトッププレート３の周囲を囲むトッププレート枠４に操作シート１２を貼付け、該操作エンボス部１２ａと開口部４ｂとに対応する各種のスイッチ１６０，１６１を設けた操作基板１６と基板ホルダ１８と備えた誘導加熱調理器において、開口部４ｂの下部にゴム系材料の防水カバー１７を配置し、防水カバー１７周囲に下向きの防水案内壁１７ｂと一体に形成したリブ１７ｇを形成し、リブ１７ｇで囲まれた平面部１７ｄで操作表示駆動部１５の上面を覆い、平面部１７ｄの上下に突起する操作入力ボタン１７ｃを設け、平面部１７ｄの奥側に防水壁１７ａを備え、防水壁１７ａと防水案内壁１７ｂの間に平面部１７ｄよりも一段低い排水溝１７ｈを形成し、トッププレート３で防水壁１７ａを上方から圧接することとした。【選択図】  図５
2011150905.tif 000002
【特許請求の範囲】
【請求項１】
本体上面に配置されたトッププレートと、該トッププレートの周囲を囲むトッププレート枠と、複数の操作エンボス部を有し前記トッププレート枠に接着剤で貼付けられた操作シートと、前記操作エンボス部に対応してトッププレート枠に設けた開口部と、該開口部と対向して各種のスイッチを設けた操作基板と、前記開口部の下部に配置された基板ホルダと、前記基板ホルダで前記操作基板を保持して成す操作表示駆動部を備えた誘導加熱調理器において、前記開口部の下部にゴム系材料からなる防水カバーを配置し、前記防水カバーは周囲に下向きの防水案内壁と一体に形成したリブを形成し、該リブで囲まれた平面部で前記操作表示駆動部の上面を覆い、前記平面部の上下に突起し前記スイッチに対応する操作入力ボタンを設け、前記平面部の奥側に防水壁を備え、該防水壁と前記防水案内壁の間に前記平面部よりも一段低い排水溝を形成し、前記トッププレートで前記防水壁を上方から圧接することを特徴とする誘導加熱調理器。
【請求項２】
前記防水カバーの前記排水溝の排水部は本体内の左右端部に排水することを特徴とする請求項１記載の誘導加熱調理器。
【請求項３】
前記防水カバーが嵌合する前記基板ホルダの外周部の一部に設けた切欠き部に対応し、前記防水カバーの前記平面部奥側に配線収納部を設けることを特徴とする請求項１記載の誘導加熱調理器。
【発明の詳細な説明】
【技術分野】
【０００１】
本発明は、本体の上面に調理用の操作表示部を備えた誘導加熱調理器に関するものである。
【背景技術】
【０００２】
近年、住宅用機器を全て電化にするといった、所謂オール電化の流れが顕著になりつつある。
【０００３】
この一環として本体の上面に耐熱ガラス製等のトッププレートを配置し、トッププレート上面に調理鍋を載置して、前記トッププレートの下方の本内上部に配置された誘導加熱コイルにより調理鍋に渦電流を流して調理鍋そのものを発熱させる誘導加熱調理器が見直されている。
【０００４】
該誘導加熱調理器は、前記トッププレートの周囲をトッププレート枠で囲み、該トッププレート枠の前面側に複数個の開口部を設け、その開口部にキートップや操作部ユニットを本体の内側に配置している。
【０００５】
前記開口部の上面には、操作エンボス部を形成した操作シートを備え、該操作シートの操作エンボス部を押すことによってキートップを介して操作基板を動作させて、制御回路基板に信号を送り、調理動作の操作を行う構造が一般的である。
【０００６】
調理中には、前記トッププレートと操作部の上部は、吹き零れなどで水が掛かり、溜まるものである。
【０００７】
そのため、前記トッププレート枠の開口部の上面には、操作シートを接着剤により貼り付け、トッププレートとトッププレート枠をシリコン等で接着して防水し、配線部品と配線ケーブルの接続部にテープを貼って防水するものである。
【０００８】
しかし、本体内へ水が浸入した場合、浸入した水が本体内の基板に掛かって故障に至る問題がある。
【０００９】
そこで、これらの問題を解決するものとして下記の特許文献が提案されている。
【００１０】
特許文献１に記載されたものは、本体の上面に配置されたトッププレートと、トッププレートの周囲を囲むトッププレート枠と、トッププレート枠の上面に貼り付けられた複数個の操作エンボス部を有する操作表示シートと、操作表示シートと対向するようにトッププレート枠の下部に配置された操作表示駆動部を備えた加熱調理器において、トッププレート枠の操作エンボス部と対向する位置に開口部を設け、開口部の下面で操作表示駆動部の上面に操作表示駆動部の上面を覆うようにゴム系材料からなる防水カバーを配置したものである。
【００１１】
特許文献２に記載されたものは、キッチンの調理台の上面部に形成された嵌込部に組込まれ内部に加熱装置を有する本体と、本体の上面に設けられ鍋等の被加熱体が載置されるトッププレートと、トッププレートの前辺部を保持し且つ前記調理台に支持する前辺フレームとを備え、前辺フレームに操作パネルを具備して、前記前辺フレームはトッププレートの前辺部を保持する断面コの字状の保持部を備え、該保持部の上面部には、上方に突出するリブが一体的に形成されてなるものである。
【先行技術文献】
【特許文献】
【００１２】
【特許文献１】特開２００８−２４１０８７号公報
【特許文献２】特開２００７−２１４１４０号公報
【発明の概要】
【発明が解決しようとする課題】
【００１３】
上記した従来技術における誘導加熱調理器には、以下に示す問題がある。
【００１４】
特許文献１に記載されたものは、本体上面前側のトッププレート枠に操作表示駆動部を備え、操作表示駆動部の上面を覆うようにゴム系材料からなる防水カバーを配置し、前記トッププレート枠の奥側で、トッププレートと接着するため、操作表示シートの接着剤はがれ部から水が浸入した場合、防水カバーに水が掛かり操作表示駆動部に水の浸入を防止するが、本体内の所定位置に水を流す構造にないため、本体内の基板部に水が掛かり故障に至ってしまう。またトッププレートとトッププレート枠の接着剤はがれ部から本体内に水が浸入した場合には、本体内の基板部に水が掛かり故障に至ってしまう。
【００１５】
また、駆動部収納ケースに配線部品を搭載した駆動部基板を固定し、配線ケーブルを接続した後、駆動部収納ケースの底へ配線ケーブルを引き出す構造のため組立性が悪い欠点があった。
【００１６】
また、特許文献２に記載されたものは、前辺フレームとパネル本体の嵌合凸部に防水部材を備えているが、操作パネルを具備する前辺フレームの保持部でトッププレートを保持する構成のため、前辺フレームの保持部とトッププレートのすきまにトッププレートのゴミが溜まって清掃性が悪く、水が浸入し易く、本体内の基板部に水が掛かり故障に至る欠点があった。
【００１７】
また、保持部と一体に形成するリブを備えることにより、トッププレートの手前に上方に帯状の突起による段差となるため、調理鍋底の端部がのりあげて、調理鍋と誘導加熱コイルの距離が変化することで、鍋の渦電流発生が変化して、火力が変化するため、調理の使い勝手が悪い欠点がある。
【課題を解決するための手段】
【００１８】
本発明は上記の欠点を解決するためになされたものであり、請求項１では、本体上面に配置されたトッププレートと、該トッププレートの周囲を囲むトッププレート枠と、複数の操作エンボス部を有し前記トッププレート枠に接着剤で貼付けられた操作シートと、前記操作エンボス部に対応してトッププレート枠に設けた開口部と、該開口部と対向して各種のスイッチを設けた操作基板と、前記開口部の下部に配置された基板ホルダと、前記基板ホルダで前記操作基板を保持して成す操作表示駆動部を備えた誘導加熱調理器において、前記開口部の下部にゴム系材料からなる防水カバーを配置し、前記防水カバーは周囲に下向きの防水案内壁と一体に形成したリブを形成し、該リブで囲まれた平面部で前記操作表示駆動部の上面を覆い、前記平面部の上下に突起し前記スイッチに対応する操作入力ボタンを設け、前記平面部の奥側に防水壁を備え、該防水壁と前記防水案内壁の間に前記平面部よりも一段低い排水溝を形成し、前記トッププレートで前記防水壁を上方から圧接するものである。
【００１９】
請求項２では、前記防水カバーの前記排水溝の排水部は本体内の左右端部に排水するものである。
【００２０】
請求項３では、前記防水カバーが嵌合する前記基板ホルダの外周部の一部に設けた切欠き部に対応し、前記防水カバーの前記平面部奥側に配線収納部を設けるものである。
【発明の効果】
【００２１】
本発明の請求項１によれば、前記開口部の下部にゴム系材料からなる防水カバーを配置し、前記防水カバーは周囲に下向きの防水案内壁と一体に形成したリブを形成し、該リブで囲まれた平面部で前記操作表示駆動部の上面を覆い、前記平面部の上下に突起し前記スイッチに対応する操作入力ボタンを設け、前記平面部の奥側に防水壁を備え、該防水壁と前記防水案内壁の間に前記平面部よりも一段低い排水溝を形成し、前記トッププレートで前記防水壁を上方から圧接することにより、操作シートの接着剤はがれや、トッププレートとトッププレート枠の接着剤はがれ部から本体内に水が浸入しても、防水カバーにより本体内の操作表示駆動部の操作基板と表示基板に水が掛かることを防止できる。
【００２２】
また、前記防水壁が前記トッププレートより下面に配置されるので、トッププレートのゴミが溜まらずトッププレートの清掃性がよく、本体内へ水の浸入を防止でき、トッププレートの手前に段差が無く、調理鍋と誘導加熱コイルとの距離が安定し、火力が安定するため、調理の使い勝手がよくなる。
【００２３】
請求項２によれば、前記防水カバーの前記排水溝の排水部は本体内の左右端部に排水することにより、防水カバーに水が掛かっても、本体内の所定位置に水を流して排水でき、本体内の操作表示駆動部の表示基板に水が掛かることを防止でき、故障に至ることがない。
【００２４】
請求項３によれば、前記防水カバーが嵌合する前記基板ホルダの外周部の一部に設けた切欠き部に対応し、前記防水カバーの前記平面部奥側に配線収納部を設けるので、前記操作基板の配線部品に配線ケーブルを接続して前記基板ホルダに載置させた前記操作基板の前記配線部品と前記配線ケーブルの端子を防水でき、組立性が良い。
【図面の簡単な説明】
【００２５】
【図１】本発明の一実施例における誘導加熱調理器をシステムキッチンに組み込んだ状態の斜視図である。
【図２】図１の誘導加熱調理器の外観斜視図である。
【図３】図２の誘導加熱調理器のトッププレートとトッププレート枠を外した状態の本体の斜視図である。
【図４】本発明の一実施例における誘導加熱調理器のトッププレート枠と操作シートの取付状態を示す分解図である。
【図５】同誘導加熱調理器の操作表示駆動部及び周辺部品の取付状態の斜視図である。
【図６】図５の誘導加熱調理器の操作表示駆動部及び周辺部品の取付状態を示す分解図である。
【図７】本発明の一実施例における誘導加熱調理器の防水カバーの上面図である。
【図８】図２の誘導加熱調理器のトッププレートと操作表示駆動部及び周辺部品のＡ−Ａ断面図である。
【発明を実施するための形態】
【００２６】
以下、本発明の実施例を添付図面に従って説明する。
【００２７】
図１は調理台に設置された組込みタイプの誘導加熱調理器を示しており、１はシステムキッチン、２は誘導加熱調理器の本体である。
【００２８】
３は耐熱ガラス等からなるトッププレートで、本体２の上面に配置され、右側と左側と中央に調理鍋を載置する右載置部６ａ左載置部６ｂ，中央載置部６ｃが形成され、該載置部６ａ，６ｂ，６ｃと対応した本体２内の上部には誘導加熱コイル６０ａ，６０ｂとラジエントヒータ６１ｃが配置されている。
【００２９】
４はトッププレート枠で、トッププレート３を囲むように本体２の上面周囲に設けられ、トッププレート枠４はトッププレート３にシリコン等で接着されている。
【００３０】
７は吸気口でトッププレート枠４の後方の右側に設け、８は排気口でトッププレート枠４の後方の左側に設けられている。
【００３１】
１４はロースターで、本体２内の下部左側に配置されており、前面から魚等の出し入れができる。５は電源スイッチで、本体２の前面で前記ロースター１４の右側に配置される。なお、排気口８とロースター１４が本体２の左右いずれかの同じ側であればロースター１４と電源スイッチ５は左右逆でもよい。
【００３２】
９は操作部で、トッププレート枠４の前面に横長に配置されており、使用者が右載置部６ａ，左載置部６ｂ，中央載置部６ｃ上で湯沸し、煮物，揚げ物等の調理や、ロースター１４で魚焼き等の調理を行う時に操作する。
【００３３】
１０は表示部で、トッププレート枠４の操作部９より奥にトッププレート３の前面に横長に配置されており、トッププレート３の印刷により透明窓３ａを形成し、操作部９による調理設定状況や進行状況等を表示するものである。
【００３４】
以下、そのトッププレート３，トッププレート枠４，操作部９と表示部１０の詳細について説明する。
【００３５】
１３はフロントカバーで、本体２の前面に配置し、後述する操作表示駆動部１５を構成する基板ホルダ１８を固定するものである。
【００３６】
４ａはシート貼付部で、トッププレート枠４の前面の上面を凹状の窪ませた横長形状の座押しである。
【００３７】
４ｂは開口部で、シート貼付部４ａの平面部４ｃに設けられ、後述する操作シート１２の操作エンボス部１２ａと対向した位置に開口している。
【００３８】
１２は操作シートで、裏面に接着剤（接着紙）１２ｃが一体に塗布等されており、この接着剤１２ｃによりシート貼付部４ａ内に密着するように貼り付けられている。
【００３９】
操作シート１２は、横長方向に沿って複数個の操作エンボス部１２ａが適宜間隔を保持して形成されており、操作エンボス部１２ａは凸状をしている。操作エンボス部１２ａの凸状部を押し下げることによって、後述する操作表示駆動部１５のスイッチ１６０，１６１をスムーズに押し下げる役目をする。
【００４０】
本体２に配置される操作表示駆動部１５は、基板ホルダ１８と表示基板２１と操作基板１６ａ，１６ｂと配線ケーブル１９，２０により構成される。
【００４１】
基板ホルダ１８は樹脂成形品で略横長形状で、略中央部のみ奥行きが広い。
【００４２】
基板ホルダ１８の奥側下部には、ＬＥＤ，セグメント等の表示部材を備える表示基板２１を配置する。表示基板２１は略逆Ｔ形で略中央部は基板ホルダ１８に覆われない部分がある。
【００４３】
２２は表示シートで基板ホルダ１８の表示基板２１の表示部材が並ぶ上方に当たる部分に貼り付けられる。トッププレート３の透明窓３ａを通して表示シート２２の表示を視認するものである。
【００４４】
操作基板１６ａ，１６ｂは、横長形状で、前記操作エンボス部１２ａと対向した位置にスイッチ１６０，１６１が設けられている。また配線部品１６２，１６３が操作基板１６ａ，１６ｂ各々に設けられている。配線ケーブル１９，２０の端子１９ａ、２０ａを配線部品１６２，１６３に接続して組込まれる。
【００４５】
１８ｃ，１８ｄは、収納部で基板ホルダ１８のリブ状の外周部１８ａに囲まれており、左右二個に分割した操作基板１６ａ，１６ｂを載置する。また、配線ケーブル１９，２０は、基板ホルダ１８の外周部１８ａの一部の切欠き部１８ｂに配置して、スリット穴１８ｅを通して底部から下側に出し、表示基板２１に配線する。
【００４６】
１７は防水カバーで柔軟性のあるゴム系材料の横長形状の成形品で、色は特に指定しないが、半透明などが一般的である。
【００４７】
１７ｂは防水案内壁で防水カバー１７の周囲に下向きの壁を備え、防水案内壁１７ｂの内側に内リブ１７ｆを備える。防水案内壁１７ｂと内リブ１７ｆで基板ホルダ１８の外周部１８ａと嵌合するものである。
【００４８】
１７ｄは平面部で防水案内壁１７ｂの上側に一体に形成されたリブ１７ｇに囲まれ、リブ１７ｇより低い。防水カバー１７が基板ホルダ１８の外周部１８ａと嵌合して固定され、平面部１７ｄで、基板ホルダ１８に配置される操作基板１６ａ，１６ｂの上面を覆うものである。
【００４９】
１７ｃは操作入力ボタンで、平面部１７ｄの上下に一体となって突起して、操作基板１６ａ，１６ｂのスイッチ１６０，１６１に対応する。
【００５０】
操作入力ボタン１７ｃの上側はトッププレート枠４の開口部４ｂを通して操作シート１２の操作エンボス部１２ａの下に配置させている。下側はスイッチ１６０，１６１の上に配置されている。操作エンボス部１２ａの押し下げ力が、操作入力ボタン１７ｃを介してスイッチ１６０，１６１を操作して操作基板１６に伝達される機構である。
【００５１】
１７ａは防水壁で平面部１７ｄの奥側の防水案内壁１７ｂの奥側に配置され、平面部１７ｄより低く、後記のトッププレート３の下面が当接するものである。
【００５２】
１７ｈは排水溝で、平面部１７ｄの奥側の防水案内壁１７ｂと防水壁１７ａとの間に、防水壁１７ａよりも一段低く形成する。
【００５３】
１７ｊは排水部で排水溝１７ｈに連結し、本体２内の左右端部２ａに排水するものである。
【００５４】
本体２にトッププレート３を組み付けることにより、防水壁１７ａはトッププレート３の下面により上方から圧接されるものである。
【００５５】
１７ｅは配線収納部で、防水カバー１７が嵌合する基板ホルダ１８の外周部１８ａの一部に設けた切欠き部１８ｂとスリット穴１８ｅに対応し、平面部１７ｄの奥側に備えるものである。
【００５６】
すなわち、この防水カバー１７は、表示基板２１と表示シート２２を組み付けてある基板ホルダ１８に、操作基板１６ａ，１６ｂの配線部品１６２，１６３に配線ケーブル１９，２０の端子１９ａ，２０ａを接続し、配線ケーブル１９，２０を基板ホルダ１８の外周部１８ａの一部の切欠き部１８ｂに配置して、スリット穴１８ｅを通して底部から下側に出し、表示基板２１に配線した後、基板ホルダ１８の収納部１８ｃ，１８ｄに載置された操作基板１６ａ，１６ｂの上から蓋をするように配置する。
【００５７】
または、トッププレート３が黒色のガラスでは、トッププレート３の表示部１０に文言を印刷で施し、基板ホルダ１８に貼付ける表示シート２２を必要とせずにトッププレート３の表示部１０を視認する場合もある。
【００５８】
本実施例は以上の構成よりなるもので、次に調理鍋（図示せず）を本体２のトッププレート３の左載置部６ｂに載置した場合の加熱調理時の動作について説明する。
【００５９】
ここでは、左載置部６ｂに対応する左の誘導加熱コイル６０ｂでの加熱動作する例について説明する。
【００６０】
水等の被加熱物の入った調理鍋をトッププレート３上の左載置部６ｂに載置し、本体２の前面に設けられた電源スイッチ５を入れ、左の誘導加熱コイル６０ｂに対応した火力調整用の操作部９を調整して調理鍋の加熱を行うと、その調整量に応じてインバータ基板（図示せず）から誘導加熱コイル６０ｂに流れる電流量が制御され、調理鍋の加熱が開始される。操作部９に配置された表示部１０にその火力調整量が表示される。
【００６１】
加熱が開始されると、送風ファン（図示せず）が駆動して吸気口７から本体２内部に冷却風を吸い込み、誘導加熱コイル６０ｂやインバータ基板を冷却し、排気口８から排気する。
【００６２】
水の浸入について説明する。調理中に調理鍋からの湯が吹き零れたり、調理鍋に水を注ぐなどの行為によって、トッププレート３と操作部９に水がこぼれるものである。その水が、トッププレート３とトッププレート枠４の接着部に何らかの隙間が生じた場合に、隙間から水が浸入すると防水シート１７下の防水壁１７ａより手前側の排水溝１７ｈに流れ、排水部１７ｊから本体２の左右端部２ａに排出される。また前記の水が、操作シート１２とトッププレート枠４の接着部に何らかの隙間が生じた場合に、隙間から水が浸入すると防水シート１７の平面部１７ｄで操作基板１６の周囲を防水し、平面部１７ｄから前記の排水溝１７ｈに流れ、排水部１７ｊから本体２の左右端部２ａに排出される。
【００６３】
また、誘導加熱コイル６０ａ，６０ｂ、ラジエントヒータ６１ｃ、及びロースター１４を使用しての具体的調理方法については、公知であり、説明を省略する。
【００６４】
以上説明したように、上記実施例によれば、開口部４ｂの下部にゴム系材料からなる防水カバー１７を配置し、防水カバー１７は周囲に下向きの防水案内壁１７ｂと一体に形成したリブ１７ｇを形成し、リブ１７ｇで囲まれた平面部１７ｄで操作表示駆動部１５の上面を覆い、平面部１７ｄの上下に突起しスイッチ１６０，１６１に対応する操作入力ボタン１７ｃを設け、平面部１７ｄの奥側に防水壁１７ａを備え、防水壁１７ａと防水案内壁１７ｂの間に平面部１７ｄよりも一段低い排水溝１７ｈを形成し、トッププレート３で防水壁１７ａを上方から圧接することにより、操作シート１２の接着剤１２ｃはがれや、トッププレート３とトッププレート枠４の接着剤はがれ部から本体２内に水が浸入しても、防水カバー１７により本体２内の操作表示駆動部１５の操作基板１６ａ，１６ｂと表示基板２１に水が掛かることを防止できる。
【００６５】
また、防水壁１７ａがトッププレート３より下面に配置されるので、トッププレート３のゴミが溜まらずトッププレート３の清掃性がよく、本体２内へ水の浸入を防止でき、トッププレート３の手前に段差が無く、調理鍋と誘導加熱コイル６０ａ，６０ｂとの距離が安定し、火力が安定するため、調理の使い勝手がよくなる。
【００６６】
また、防水カバー１７の排水溝１７ｈの排水部１７ｊは本体２内の左右端部２ａに排水することにより、防水カバー１７に水が掛かっても、本体２内の所定位置に水を流して排水でき、本体２内の操作表示駆動部１５の表示基板２１に水が掛かることを防止でき、故障に至ることがない。
【００６７】
また、防水カバー１７が嵌合する基板ホルダ１８の外周部１８ａの一部に設けた切欠き部１８ｂに対応し、防水カバー１７の平面部１７ｄ奥側に配線収納部１７ｅを設けるので、操作基板１６ａ，１６ｂの配線部品１６２，１６３に配線ケーブル１９，２０を接続して基板ホルダ１８に載置させた操作基板１６ａ，１６ｂの配線部品１６２，１６３と配線ケーブル１９，２０の端子１９ａ，２０ａを防水でき、組立性が良い。
【符号の説明】
【００６８】
２  本体
２ａ  左右端部
３  トッププレート
４  トッププレート枠
４ｂ  開口部
１２  操作シート
１２ａ  操作エンボス部
１２ｃ  接着剤
１５  操作表示駆動部
１６  操作基板
１７  防水カバー
１７ａ  防水壁
１７ｂ  防水案内壁
１７ｃ  操作入力ボタン
１７ｄ  平面部
１７ｅ  配線収納部
１７ｇ  リブ
１７ｈ  排水溝
１７ｊ  排水部
１８  基板ホルダ
１８ａ  外周部
１８ｂ  切欠き部
１６０，１６１  スイッチ
【図１】
2011150905.tif 000003
【図２】
2011150905.tif 000004
【図３】
2011150905.tif 000005
【図４】
2011150905.tif 000006
【図５】
2011150905.tif 000007
【図６】
2011150905.tif 000008
【図７】
2011150905.tif 000009
【図８】
2011150905.tif 000010